(57)【特許請求の範囲】
【請求項１】
押付け圧力を測定するための測定棒と、前記測定棒の動作に伴って圧縮されて押付け圧力を計測するためのばねと、前記ばねを内部に保持する筺体とを備えた動作圧力測定装置において、
前記筺体は内部にばね定数が異なる複数のばねを保持しており、
測定時に前記複数のばねの内、測定に使用するばねのみを前記測定棒の動作に伴って圧縮させる選択圧縮部材を備えたことを特徴とする動作圧力測定装置。
【請求項２】
請求項１に記載の動作圧力測定装置において、前記筺体には内部に保持された複数の前記ばねの圧縮量に応じた圧力値目盛りが備えられ、前記選択圧縮部材は前記測定棒に係合し、前記測定に使用するばねのみの圧縮量に応じた圧力値目盛りを指示する指示針の機能を有することを特徴とする動作圧力測定装置。
【請求項３】
請求項２に記載の動作圧力測定装置において、前記筺体内部に保持されるばねは、エスカレーターのスカートガードスイッチの動作圧力を測定するための第一のばねと、ターミナルインレットスイッチの動作圧力を測定するための第二のばねの２つのばねから構成されていることを特徴とする動作圧力測定装置。
【請求項４】
請求項３に記載の動作圧力測定装置において、
前記筺体は円筒形を為し、前記筺体の両端部及び中間部に、中心に円孔の空いた円盤が固定され、
前記第一のばねと前記第二のばねは前記筺体内中間部の前記円盤によって隔てられた２つの空間に１つずつ内設され、
前記第一のばねと前記第二のばねそれぞれの一端部はそれぞれの前記空間で前記円盤に固定され、
前記測定棒は前記円孔と前記第一のばね及び前記第二のばねを貫通して配置され、前記２つの空間内でそれぞれストッパーを備え、
前記選択圧縮部材は前記第一のばねまたは前記第二のばねのいずれを測定に使用するのかに応じてあらかじめ定められた前記筺体の所定の位置に差し込まれると、測定に使用されるばね側の空間内の前記ストッパーを介して前記測定棒と係合し、前記測定棒の動作に伴って測定に使用される前記第一のばねまたは前記第二のばねの他端部を圧縮させることを特徴とする動作圧力測定装置。
【請求項５】
請求項３に記載の動作圧力測定装置において、
前記筺体は円筒形を為し、前記筺体の両端部に中心に円孔の空いた円盤が固定され、
前記第一のばねと前記第二のばねは前記筺体内に内設され、
前記選択圧縮部材は前記第一のばねと第二のばねの間で前記測定棒に固定され、
前記測定棒の一端を測定対象物に押し当てると前記測定棒の動作に伴って前記第一のばねが圧縮され、前記測定棒の他端を測定対象物に押し当てると前記測定棒の動作に伴って前記第二のばねが圧縮されることを特徴とする動作圧力測定装置。
【請求項６】
請求項４または５のいずれかに記載の動作圧力測定装置において、前記測定棒の端部に高摩擦材を配設したことを特徴とする動作圧力測定装置。
【発明の詳細な説明】
【技術分野】
【０００１】
本発明は動作圧力測定装置、特に異なるレンジの動作圧力を測定し得る動作圧力測定装置の改良に関する。
【背景技術】
【０００２】
一般に、エスカレーターにおいては、上下曲部左右四箇所のスカートガードの内側に、スカートガードスイッチがそれぞれ設けられており、乗客の靴等が挟まれたことを検出できるようになっているが、これらのスカートガードスイッチは保守作業の際に、スカートガードにばね秤等の秤量器を押し当てて、その動作圧力を点検している。またエスカレーターの左右に有する移動手摺の上下部左右四箇所の出入り口部の内側に、ターミナルインレットスイッチがそれぞれ設けられており、これら出入りロ部に乗客の手等が挟まれたことを検出できるようになっている。保守作業の際にはこのターミナルインレットスイッチも、スカートガードスイッチと同様、出入り口部にばね秤等の秤量器を押し当てて、その動作圧力を点検している。
【０００３】
従来、スカートガードスイッチの動作圧力を測定する方法としては、図１０に示すように、エスカレーターの任意の踏段２１上に設置される固定台２２と、この固定台２２上に取付けられたガイド機構２３とから装置を構成し、ガイド機構によりばね秤１をスカートガード１２に対し遠近方向にスライドしてスカートガード１２に押し当てるようにした方法が提案されている(例えば特許文献１参照)。
【０００４】
また、ターミナルインレットスイッチの動作圧力を測定する方法としては従来、図１１に示すように、ばね秤１を保持した作業者３０がエスカレーターの移動手摺出入りロ部１０の正面に腰を降ろし、ばね秤１を移動手摺出入り口部１０に対して直角に当て、これを押し付けながらターミナルインレットスイッチ(図示せず)を動作させ、ターミナルインレットスイッチの動作音や制御リレーの動作音によりスイッチ動作を確認し、そのときのばね秤１の値を読み取る方法が採られている。
【先行技術文献】
【特許文献】
【０００５】
【特許文献１】特開平６−２７８９８２号公報(段落００６６〜００６７、図１等)
【発明の概要】
【発明が解決しようとする課題】
【０００６】
ところで、スカニトガードスイッチの動作圧力は１５〜２９ｋｇ程度、ターミナルインレットスイッテの動作圧力は１〜３ｋｇ程度に設定されており、ターミナルインレットスイッチの動作圧力はスカートガードスイッチの動作圧力に比べて小さく、スカートガードスイッチ動作圧力測定用のばね秤は、ターミナルインレットスイッチ動作圧力測定用には適さないため、測定レンジの異なるばね秤を２種類携帯する必要があり、荷物運搬時の労力増加の要因となる問題があった。
【０００７】
本発明は、かかる課題を解決するためになされたもので、その目的は、異なるレンジの動作圧力を測定可能な異なる測定レンジを有する動作圧力測定装置を提供することにある。
【課題を解決するための手段】
【０００８】
前記目的を達成するために、本発明にかかる動作圧力測定装置は、押付け圧力を測定するための測定棒と、前記測定棒の動作に伴って圧縮されて押付け圧力を計測するためのばねと、前記ばねを内部に保持する筺体とを備えた動作圧力測定装置において、前記筺体は内部にばね定数が異なる複数のばねを保持しており、測定時に前記複数のばねの内、測定に使用するばねのみを前記測定棒の動作に伴って圧縮させる選択圧縮部材を備えたことを特徴とする。
【発明の効果】
【０００９】
本発明によれば、異なるレンジの動作圧力を測定可能な、異なる測定レンジを有する動作圧力測定装置を提供することができる。
【図面の簡単な説明】
【００１０】
【図１】本発明に係る動作圧力測定装置の第一の実施形態を示す構成図である。
【図２】図１の動作圧力測定装置に選択圧縮部材８を位置８ａにセットした一実施形態を示す説明図である。
【図３】図１の動作圧力測定装置に選択圧縮部材８を位置８ｂにセットした一実施形態を示す説明図である。
【図４】本発明に係る動作圧力測定装置の第二の実施形態を示す構成図である。
【図５】図４の動作圧力測定装置に選択圧縮部材８を位置８ａにセットした一実施形態を示す説明図である。
【図６】図４の動作圧力測定装置に選択圧縮部材８を位置８ｂにセットした一実施形態を示す説明図である。
【図７】本発明に係る動作圧力測定装置の第三の実施形態を示す構成図である。
【図８】図７の動作圧力測定装置の測定棒６の一端で測定する一実施形態を示す説明図である。
【図９】図７の動作圧力測定装置の測定棒６の他端で測定する一実施形態を示す説明図である。
【図１０】従来のスカートガードスイッチの動作圧力測定方法を示す説明図である。
【図１１】従来のターミナルインレットスイッチの動作圧力測定方法を示す説明図である。
【発明を実施するための形態】
【００１１】
以下、本発明の動作圧力測定装置について、図面を用いながら実施例を挙げて詳しく説明する。
【００１２】
図１は、本発明に係る動作圧力測定装置の第一の実施形態を示す構成図である。図２は図１の動作圧力測定装置に選択圧縮部材８を位置８ａにセットした一実施形態を、図３は図１の動作圧力測定装置に選択圧縮部材８を位置８ｂにセットした一実施形態を示す説明図である。
【００１３】
図１（ａ）に示すように、本実施形態の動作圧力測定装置１は、筺体２、ばね定数の異なる２つのばねとして第一のばねである５ａ、第二のばねである５ｂおよび測定棒６、高摩擦材９で構成されている。筺体２は円筒３と、円筒３の両端部及び中間部に固定された円盤４で構成され、筺体２内中間部の円盤４によって２つの空間に隔てられている。それぞれの空間には、異なるばね定数を有する２つのばね５ａ、５ｂがそれぞれ１つずつ内設され、且つそれぞれの空間内で、筺体２の一方の端部の円盤４の筺体２内部側でばね５ｂの一端部が、中間部の円盤４にばね５ａの一端部がそれぞれ固定された構造を備えている。測定棒６は、測定装置１から抜けないようにストッパー１４を備えており、動作圧力測定装置１の筺体２、ばね５ａ、５ｂを貫通するように配設されている。また、測定棒６先端のスイッチ動作測定部７に高摩擦材９を配設している。これにより測定棒６の端部を測定対象に押し付けた際に滑り難くし、計測を行いやすくしている。本実施形態では測定棒６の一端部のみを計測部としている。
【００１４】
本実施形態は、ターミナルインレットスイッチ動作圧力を測定する場合、図２に示すように、あらかじめ定められた筺体２の所定の位置であるターミナルインレットスイッチ動作測定用ばね仕切り板兼測定指示針位置８ａにばね仕切り板兼測定指示針８を差込む事で、ターミナルインレットスイッチ測定用ばね５ａが有効となり、移動手摺出入り口部１０にスイッチ動作測定部７を押し当てることで、ターミナルインレットスイッチ１１の動作圧力を測定できる。
【００１５】
また、スカートガードスイッチ動作圧力を測定する場合、図３に示すように、スカートガードスイッチ動作測定用ばね仕切り板兼測定指示針位置８ｂにばね仕切り板兼測定指示針８を差込む事で、スカートガードスイッチ測定用ばね５ｂが有効となり、スカートガード１２にスイッチ動作測定部７を押し当てることで、ターミナルインレットスイッテ１３の動作圧力を測定できる。
【００１６】
なお、図１（ａ）に示すように筺体２には内部に保持されたばね５ａ及び５ｂの圧縮量に応じた圧力値目盛りが備えられている。また、図１（ｂ）はぱね仕切り板兼測定指示針８の側面図を、図１（ｃ）はばね仕切り板兼測定指示針８の正面図を示している。このような形状を持つばね仕切り板兼測定指示針８は、２つのばね５ａ，５ｂのいずれを測定に使用するのかに応じてあらかじめ定められた筺体２の所定の位置に差し込まれると、測定棒６をＵ字状の切欠きに挟みながら、測定に使用されるばね側の空間内のストッパー１４を介して測定棒６と係合し、測定棒６の動作に伴って測定に使用される第一のばね５ａまたは第二のばね５ｂの他端部を圧縮させる。そして、ばね仕切り板兼測定指示針８は、測定に使用するばねのみの圧縮量に応じた圧力値目盛りを指示する指示針の機能を有し、筺体２内部に保持されたばね５ａ及び５ｂの圧縮量に応じた圧力値目盛りを指示する。これにより、簡単な構成で異なるレンジの圧力を測定を可能とし、ばね仕切り板兼測定指示針８を測定したい目盛りを有する側にセットすれば使用するばねを簡単に選択できるので、使い勝手のよいものとすることができる。
【００１７】
以上説明した第一の実施形態では、筺体２は平板を丸めた構造から成る円筒の両端部及び中間部に、中心に円孔の空いた円盤４が固定され、筺体内中間部の円盤４によって隔てられた２つの空間に、異なるばね定数を有する２つのばね５ａ，５ｂが１つずつ内設され且つそれぞれの空間で、筺体２の一方の端部の円盤４の筺体内部側および中間部の円盤４にそれぞれのばね５ａ，５ｂの端部が固定され、測定装置１から抜けないようにストッパー１４を備えた測定棒６が測定装置１を貫通するように串刺しされている構造とし、ばね仕切り板兼測定指示針８を測定装置１の所定の位置８ａ，８ｂに差し込んで２つのばね５ａ，５ｂのうちどちらか一方のみを有効にすることにより、２つの異なる測定レンジで計測する機能を備えている。
【００１８】
図４は本発明に係る動作圧力測定装置の第二の実施形態を示す構成図である。また図５は、図４の動作圧力測定装置に選択圧縮部材８を位置８ａにセットした一実施形態を、図６は図４の動作圧力測定装置に選択圧縮部材８を位置８ｂにセットした一実施形態を示す説明図である。なお、本実施形態は基本的には第一の実施形態と同様の構成をしており、以下、異なる点について説明する。
【００１９】
図４に示すように、本実施形態における測定装置１は、筺体２内中間部の円盤４によって隔てられた２つの空間に、異なるばね定数を有する２つのばね５ａ，５ｂがそれぞれ配置されている。この２つのばね５ａ，５ｂの一端部は筺体２の中間部の１円盤４の筺体２内部側両面にそれぞれ固定されている。また測定棒６は測定装置１から抜けないようにストッパー１４を備えて測定装置を貫通するように配設されている。本実施形態では測定棒６の両端を計測部とした構造をしており、測定棒６の両端に高摩擦材９を配設した構造としている。
【００２０】
本実施形態において、ターミナルインレットスイッチ動作圧力を測定する場合、図５に示すように、ターミナルインレットスイッチ動作測定用ばね仕切り板兼測定指示針位置８ａにばね仕切り板兼測定指示針８を差込む事で、ターミナルインレットスイッチ測定用ばね５ａが有効となり、移動手摺出入り口部１０にターミナルインレットスイッチ動作測定部７ａを押し当てることで、ターミナルインレットスイッテ１１の動作圧力を測定できる。また、スカートガードスイッチ動作圧力を測定する場合、図６に示すように、スカートガードスイッチ動作測定用ばね仕切り板兼測定指示針位置８ｂにばね仕切り板兼測定指示針８を差込む事で、スカートガードスイッチ測定用ばね５ｂが有効となり、スカートガード１２に、測定棒６のターミナルインレットスイッチ動作測定部７ａと反対側の端部であるスカートガードスイッチ動作測定部７ｂを押し当てることで、スカートガードスイッチ１３の動作圧力を測定できる。
【００２１】
以上説明した第二の実施形態では、筺体２の両端部及び中間部に、中心に円孔の空いた円盤４が固定され、筺体２内中間部の円盤によって隔てられた２つの空間に、異なるばね定数を有する２つのばね５ａ，５ｂが１つずつ内設され、且つそれぞれの空間で、筺体２中間部の円盤４の両面でそれぞれのばね５ａ，５ｂの端部が固定され、測定棒６の両端を計測部とした構造を備え、ばね仕切り板兼測定指示針８を測定装置１の所定の位置８ａ，８ｂに差し込んで２つのばね５ａ，５ｂのうちどちらか一方のみを有効にし、且つ測定対象により測定棒６の端部を変えることにより、２つの異なる測定レンジで計測する機能を備えている。
【００２２】
このような構成によれば、使用するばね側にばね仕切り板兼測定指示針８をセットし、使用するばね側の測定棒６端部を使用するので、使用者が使用する側のばねをより容易に理解でき、使い勝手の向上を図ることができる。
【００２３】
また図７は本発明に係る動作圧力測定装置の第三の実施形態を示す構成図である。さらに図８は、図７の動作圧力測定装置の測定棒６の一端で測定する一実施形態を、図９は、図７の動作圧力測定装置の測定棒６の他端で測定する一実施形態を示す説明図である。なお、本実施形態は基本的には第一及び第二の実施形態と同様の構成をしており、以下、異なる点について説明する。
【００２４】
図７に示すように、本実施形態における測定装置１は測定棒６の両端部を計測部としまたばね仕切り板兼測定指示針の入替えを不要としている。
【００２５】
図７に示す測定装置１は、円筒形の筺体２の両端部に中心に円孔の空いた円盤４が固定され、筺体２内部に内設された２つのばね５ａ、５ｂの間に、測定棒６に固定されたばね仕切り板兼測定指示針８が配設されている。また、２つのばね５ａ，５ｂの一端は、隣接する円盤４の筺体２内側面に固定されている。このような構成を持つ測定装置は、測定棒６両端を計測部とすることができ、これにより、ばね仕切り板兼測定指示針８の入替えを不要とできる。そして、圧力計測部である測定棒６の両端に高摩擦材９が配設されている。本実施形態において、ターミナルインレットスイッチ動作圧力を測定する場合、図８に示すように、ばね仕切り板兼測定指示針８を測定棒６に固定させる構造としたため、移動手摺出入り口部１０にターミナルインレットスイッチ動作測定部７ａを押し当てるだけで、ターミナルインレットスイッテ測定用ばね５ａが有効となり、ターミナルインレットスイッチ１１の動作圧力を測定できる。また、図９に示すように、スカートガード１２に測定棒６のターミナルインレットスイッチ動作測定部７ａと反対側の端部であるスカートガードスイッチ動作測定部７ｂを押し当てるだけで、スカートガードスイッチ測定用ばね５ｂが有効となり、スカートガードスイッチ１３の動作圧力を測定できる。
【００２６】
以上説明した第三の実施形態では、円筒形の筺体２の両端部に中心に円孔の空いた円盤４が固定され、筺体２内部に内設された２つのばね５ａ，５ｂの間に、測定棒６に固定されたばね仕切り板兼測定指示針８が配設され、測定棒６両端を計測部とした構造を備え、測定対象により測定棒６の端部を変えることで２つのばね５ａ，５ｂのうちどちらか一方のみを有効とし、２つの異なる測定レンジで計測する圧力測定装置とした。
【００２７】
このような構成によれば、利用するばねをばね５ａを使用するのか、ばね５ｂを使用するのかに応じて仕切り板兼測定指示針８をセットする手間を省略しながら、使用するばねを圧縮できる側の測定棒６端部を使用して計測すればよいので、使用者の使い勝手の向上を図ることができる。
【００２８】
以上説明したように本実施形態は測定装置内部に異なるばね定数を有する２つのばねを内設し、２つのばねのうちどちらか一方のみを有効にすることにより、２つの異なる測定レンジで計測するようにしたもので、異なるレンジの動作圧力を測定可能な、異なる測定レンジを有する動作圧力測定装置を提供することができる。
【００２９】
なお、本実施形態では異なるばね定数を有する２つのばねが筺体内部に配設した例を挙げて説明しているが、第一の実施形態の動作原理であれば、２つのみに限られるものではなく、同様の動作原理によって３つやそれ以上の異なるばね定数を有するばねを筺体内部に配設した測定装置とすることも可能である。
【００３０】
また、第一から第三の各本実施形態では、ばね５ａをターミナルインレットスイッチの動作圧力を計測するためのものとし、ばね５ｂをエスカレーターのスカートガードスイッチの動作圧力を計測するためのものとしたがこれに限られるものではない。
【００３１】
しかし、前述の各実施形態めように、エスカレータ一の保守点検では異なる２つの動作圧力で動作するターミナルインレットスイッチとスカートガードスイッチの動作圧力を測定する必要があるため、ごのような２つの異なる測定レンジを有する測定装置を提供することで、１つの測定装置で２つの異なる測定レンジでの計測が可能となるため、荷物運搬時の労力を軽減できる動作圧力計測装置を提供することが出来る。よって、エスカレーターの保守点検用の動作圧力測定装置とする場合には、筺体２内部に保持されるばねは、エスカレーターのスカートガードスイッチの動作圧力を測定するための第一のばねと、ターミナルインレットスイッチの動作圧力を測定するための第二のばねの２つのばねから構成されているのがよい。
【符号の説明】
【００３２】
１  測定装置(ばね秤)
２  筺体
３  円筒
４  円盤
５ａ  ターミナルインレットスイッチ測定用ばね
５ｂ  スカートガードスイッチ測定用ばね
６  測定棒
７  スイッチ動作測定部
７ａ  タユミナルインレットスイッチ動作測定部
７ｂ  スカートガードスイッチ動作測定部
８  ばね仕切り板兼測定指示針
８ａ  ダーミナルインレットスイッチ動作測定用ばね仕切り板兼測定指示針位置
８ｂ  スカートガードスイッチ動作測定用ばね仕切り板兼測定指示針位置
９  高摩擦材
１０  移動手摺出入り口部
１１  ターミナルインレットスイッチ
１２  レスカートガード
１３  スカートガードスイッチ
１４  ストッパー
２１  踏段
２２  固定台
２２ａ  歯型
２３  ガイド機構
２４  押し付け板
２５  ガイド金具
２６  操作レバー
２７  動作ピン
３０  作業者
３１  移動手摺
【図１】
0005645873.tif 000002
【図２】
0005645873.tif 000003
【図３】
0005645873.tif 000004
【図４】
0005645873.tif 000005
【図５】
0005645873.tif 000006
【図６】
0005645873.tif 000007
【図７】
0005645873.tif 000008
【図８】
0005645873.tif 000009
【図９】
0005645873.tif 000010
【図１０】
0005645873.tif 000011
【図１１】
0005645873.tif 000012